(57)【要約】      （修正有）【課題】局所的に加湿することができる加湿空調システムを提供する。【解決手段】加湿空調システムは、ミストを発生させるミスト発生装置１０と、前記ミスト発生装置が発生させたミストを含んだ空気を加湿対象空間に送る第１送風体６と、前記ミスト発生装置が発生させたミストを含まないで前記ミスト発生装置が発生させたミストよりも低温の空気を前記ミスト発生装置が発生させたミストを含んだ空気よりも上方に送る第２送風体７と、を備えた。【選択図】図１
2016188723.tif 000002
【特許請求の範囲】
【請求項１】
ミストを発生させるミスト発生装置と、
前記ミスト発生装置が発生させたミストを含んだ空気を加湿対象空間に送る第１送風体と、
前記ミスト発生装置が発生させたミストを含まないで前記ミスト発生装置が発生させたミストよりも低温の空気を前記ミスト発生装置が発生させたミストを含んだ空気よりも上方に送る第２送風体と、
を備えた加湿空調システム。
【請求項２】
前記ミスト発生装置に送られる空気を加熱する加熱装置、
を備えた請求項１に記載の加湿空調システム。
【請求項３】
前記加熱装置は、前記第２送風体により送られる空気を加熱し、
前記第２送風体は、前記加熱装置に加熱されていない空気と前記加熱装置に加熱された空気とを前記加湿対象空間に送る請求項２に記載の加湿空調システム。
【請求項４】
前記第１送風体は、前記加湿対象空間に設けられ、前記ミスト発生装置が発生させたミストを含んだ空気を吹き出す第１吹出口を有し、
前記第２送風体は、前記加湿対象空間の上方に設けられ、前記ミスト発生装置が発生させたミストを含まないで前記ミスト発生装置が発生させたミストよりも低温の空気を前記第１吹出口が吹き出した空気よりも上方に吹き出す第２吹出口を有した請求項２または請求項３に記載の加湿空調システム。
【請求項５】
前記第１送風体は、前記加湿対象空間の上方に設けられ、前記ミスト発生装置が発生させたミストを含んだ空気を下方に向けて吹き出す第１吹出口を有し、
前記第２送風体は、前記加湿対象空間の上方に設けられ、前記ミスト発生装置が発生させたミストを含まないで前記ミスト発生装置が発生させたミストよりも低温の空気を前記第１吹出口が吹き出した空気よりも上方に吹き出す第２吹出口を有した請求項２または請求項３に記載の加湿空調システム。
【請求項６】
前記２吹出口は、前記ミスト発生装置が発生させたミストを含まないで前記ミスト発生装置が発生させたミストよりも低温の空気を前記第１吹出口が吹き出した空気の速度よりも高速で吹き出す請求項５に記載の加湿空調システム。
【請求項７】
前記加湿対象空間の空気の温度または前記加湿対象空間に設けられた床の温度を測定する温度測定装置と、
前記温度測定装置により測定された温度に基づいて前記第１送風体が送る空気の温度と前記第２送風体が送る空気の温度との差を制御する制御装置と、
を備えた請求項２から請求項６のいずれか一項に記載の加湿空調システム。
【請求項８】
前記ミスト発生装置は、前記加湿対象空間の上方の空間に存在する空気と加湿装置により加湿された空気とが混合された空気に含まれた水分を凝集することによりミストを発生させる請求項２から請求項７のいずれか一項に記載の加湿空調システム。
【請求項９】
前記ミスト発生装置は、空気に含まれた水分が凝集される放電空間または紫外線照射空間または超音波照射空間を形成した請求項２から請求項８のいずれか一項に記載の加湿空調システム。
【請求項１０】
前記第１送風体と前記第２送風体とに送る空気の流れを発生させる送風装置、
を備え、
前記ミスト発生装置は、外部から電力消費量を抑制する指令を受けた際に前記加熱装置と前記送風装置とよりも先に電力消費量を引き下げる請求項２から請求項９のいずれか一項に記載の加湿空調システム。
【発明の詳細な説明】
【技術分野】
【０００１】
この発明は、加湿空調システムに関する。
【背景技術】
【０００２】
特許文献１は、加湿空調システムを開示する。当該加湿空調システムは、利用者が存在する位置以外の位置にミストが拡散することを抑制するように暖かい空気を送る。
【先行技術文献】
【特許文献】
【０００３】
【特許文献１】特開２００６−６８１３０号公報
【発明の概要】
【発明が解決しようとする課題】
【０００４】
しかしながら、当該加湿空調システムにおいては、ミストにより加湿された空気は、暖かい空気とともに上昇する。このため、局所的に加湿することができない。
【０００５】
この発明は、上述の課題を解決するためになされた。この発明の目的は、局所的に加湿することができる加湿空調システムを提供することである。
【課題を解決するための手段】
【０００６】
この発明に係る加湿空調システムは、ミストを発生させるミスト発生装置と、前記ミスト発生装置が発生させたミストを含んだ空気を加湿対象空間に送る第１送風体と、前記ミスト発生装置が発生させたミストを含まないで前記ミスト発生装置が発生させたミストよりも低温の空気を前記ミスト発生装置が発生させたミストを含んだ空気よりも上方に送る第２送風体と、を備えた。
【発明の効果】
【０００７】
これらの発明によれば、第２送風体は、ミスト発生装置が発生させたミストを含まないでミスト発生装置が発生させたミストよりも低温の空気をミスト発生装置が発生させたミストを含んだ空気よりも上方に送る。この際、ミスト発生装置が発生させたミストを含んだ空気の上昇は、より低温の空気に抑制される。このため、低い位置を局所的に加湿することができる。
【図面の簡単な説明】
【０００８】
【図１】この発明の実施の形態１における加湿空調システムが適用された区画領域の縦断面図である。
【図２】この発明の実施の形態１における加湿空調システムのミスト発生装置の縦断面図である。
【図３】この発明の実施の形態１における加湿空調システムのミスト発生部の縦断面図である。
【図４】この発明の実施の形態２における加湿空調システムが適用された区画領域の縦断面図である。
【図５】この発明の実施の形態３における加湿空調システムが適用された区画領域の縦断面図である。
【図６】この発明の実施の形態４における加湿空調システムが適用された区画領域の縦断面図である。
【図７】この発明の実施の形態５における加湿空調システムが適用された区画領域の縦断面図である。
【発明を実施するための形態】
【０００９】
この発明を実施するための形態について添付の図面に従って説明する。なお、各図中、同一又は相当する部分には、同一の符号が付される。当該部分の重複説明は適宜に簡略化又は省略化される。
【００１０】
実施の形態１．
図１はこの発明の実施の形態１における加湿空調システムが適用された区画領域の縦断面図である。
【００１１】
図１において、区画領域１は、建築物の部屋等からなる。区画領域１は、床２と壁３と天井４とを備える。
【００１２】
例えば、ダクト５は、天井４の上側と壁３の外側とに沿って配置される。ダクト５は、天井４と壁３とに埋め込まれる場合もある。ダクト５は、天井４に吊り下げられる場合もある。
【００１３】
ダクト５の一部は、第１送風体６を形成する。第１送風体６は、壁３の下部を水平方向に貫通する。第１送風体６は、第１吹出口６ａを有する。第１吹出口６ａは、区画領域１の下部において露出する。第１吹出口６ａは、水平方向を向いて開口する。
【００１４】
ダクト５の一部は、第２送風体７を形成する。第２送風体７は、壁３の上部を水平方向に貫通する。第２送風体７は、第２吹出口７ａを有する。第２吹出口７ａは、区画領域１の上部において露出する。第２吹出口７ａは、第１吹出口６ａよりも上方に配置される。第２吹出口７ａは、水平方向を向いて開口する。
【００１５】
送風装置８は、天井４の上方に配置される。送風装置８は、ダクト５の最上流の側に配置される。送風装置８は、屋外または図示しない空調装置に接続される。
【００１６】
加熱装置９は、壁３の外側の下部に配置される。加熱装置９は、第１送風体６の途中に配置される。ミスト発生装置１０は、壁３の外側の下部に配置される。
【００１７】
ミスト発生装置１０は、壁３の外側の下部に配置される。ミスト発生装置１０は、第１送風体６の途中に配置される。ミスト発生装置１０は、加熱装置９に隣接する。ミスト発生装置１０は、加熱装置９よりも壁３の側に配置される。
【００１８】
温度測定装置１１は、区画領域１の下部に配置される。例えば、温度測定装置１１は、第１送風体６と第２送風体７との側の壁３とは反対側の壁３に設けられる。例えば、温度測定装置１１は、サーミスタからなる。
【００１９】
制御装置１２の入力部は、温度測定装置１１の出力部に接続される。制御装置１２の出力部は、送風装置８の入力部と加熱装置９の入力部とミスト発生装置１０の入力部とに接続される。
【００２０】
区画領域１の利用者は、区画領域１の下部に存在する。当該領域の空間は、加湿対象空間となる。加湿対象空間の加湿と暖房とが行われる場合、制御装置１２は、温度測定装置１１により測定された空気の温度に基づいて送風装置８と加熱装置９とミスト発生装置１０とを制御する。
【００２１】
その結果、送風装置８は、ダクト５の内部に空気を送る。当該空気の一部は、第１送風体６の内部を流れる。当該空気の一部は、第２送風体７の内部を流れる。
【００２２】
加熱装置９は、第１送風体６の内部を流れる空気を加熱する。ミスト発生装置１０は、加熱装置９に加熱された空気に含まれた水分からミストを発生させる。第１送風体６は、ミスト発生装置１０が発生させたミストを含んだ暖かい空気を加湿対象空間の下部に向けて送る。第１吹出口６ａは、当該空気を加湿対象空間の下部に向けて吹き出す。
【００２３】
第２送風体７は、送風装置８から送られた空気を加湿対象空間の上方に向けて送る。第２吹出口７ａは、ミスト発生装置１０が発生させたミストを含まないでミスト発生装置１０が発生させたミストを含んだ空気よりも低温の空気を加湿対象空間の上方に向けて吹き出す。
【００２４】
加湿対象空間において、第１吹出口６ａからの空気は、浮力により上昇しようとする。これに対し、加湿対象空間の上方において、第２吹出口７ａからの空気は、より低温で上昇しにくい。このため、第１吹出口６ａからの空気の上昇は、第２吹出口７ａからの空気により抑制される。その結果、加湿された暖かい空気は、加湿対象空間に留まる。
【００２５】
次に、図２を用いて、ミスト発生装置１０の例を説明する。
図２はこの発明の実施の形態１における加湿空調システムのミスト発生装置の縦断面図である。
【００２６】
図２の（Ａ）は、ヒータ方式のミスト発生装置１０を示す。図２の（Ａ）において、水槽１３は、第１送風体６の直下に設けられる。ヒータ１４は、水槽１３の直下に設けられる。
【００２７】
水槽１３は、図示しない供給装置から水の供給を受ける。ヒータ１４は、水槽１３を加熱する。ヒータ１４の加熱により、水槽１３の内部において、水の温度が上昇する。その結果、水蒸気が発生する。当該水蒸気は、第１送風体６を流れる空気に冷却される。その結果、湿度の高い空気と水滴状のミストとが発生する。当該ミストの一部は、水槽１３に戻る。
【００２８】
図２の（Ｂ）は、超音波方式のミスト発生装置１０を示す。図２の（Ｂ）において、水槽１３は、第１送風体６の直下に設けられる。超音波振動子１５は、水槽１３の直下に設けられる。
【００２９】
水槽１３は、図示しない供給装置から水の供給を受ける。超音波振動子１５は、超音波の波長に対応した周波数で振動する。超音波振動子１５の振動により、微細な水滴が水槽１３の内部から第１送風体６の内部に噴霧される。当該水滴の温度と水槽１３の内部の水の温度との差は小さい。当該水滴は、第１送風体６を流れる空気により気化する。その結果、やや冷却された空気とミストとが発生する。
【００３０】
図２の（Ｃ）は、噴霧方式のミスト発生装置１０を示す。図２の（Ｃ）において、水槽１３は、第１送風体６の直下に設けられる。噴霧装置の回転体１６の下部は、水槽１３の内部に配置される。回転体１６の上部は、第１送風体６の内部に露出する。破砕捕集板１７は、回転体１６の上部を囲む。
【００３１】
水槽１３は、図示しない供給装置から水の供給を受ける。回転体１６は、遠心力によって水槽１３の内部の水を内壁の上部に吸い上げる。回転体１６の上部は、側面の穴（図示せず）から水滴を外部に噴霧する。破砕捕集板１７は、回転体１６に噴霧された水滴の衝突を受ける。この際、水滴の大部分は、水槽１３に落ちる。水滴のうち、粒径の小さい水滴は、第１送風体６の内部を流れる空気により気化する。その結果、超音波方式のミスト発生装置１０における現象と同様に、やや冷却された空気とミストとが発生する。
【００３２】
図２の（Ｄ）は、気化方式のミスト発生装置１０を示す。図２の（Ｄ）において、水槽１３は、第１送風体６の直下に設けられる。フィルタ１８の下部は、水槽１３の内部に配置される。フィルタ１８の上部は、第１送風体６の内部に露出する。ミスト発生部１９は、フィルタ１８の上部よりも下流の側に設けられる。
【００３３】
水槽１３は、図示しない供給装置から水の供給を受ける。フィルタ１８は、水槽１３の内部の水を吸い上げる。フィルタ１８は、第１送風体６の内部を流れる空気を通過させる。この際、フィルタ１８において、水の一部が蒸発する。その結果、加湿された空気が発生する。当該空気は、相対湿度が１００％となるような水分を含む。当該水分は、概ね水の分子である。当該水の分子は、拡散しやすい。ミスト発生部１９は、加湿された空気に含まれた水の分子から搬送しやすいミストを発生させる。
【００３４】
気化方式のミスト発生装置１０においては、大きな水滴を取り除く装置を設けることが好ましい。当該装置により、第１送風体６の内部に水が付着することを防止できる。当該ミスト発生装置１０においては、第１送風体６の内部を流れる空気の圧力の損失がより小さくなる構造であることが好ましい。当該構造により、第１送風体６の内部の空気を円滑に送ることができる。
【００３５】
次に、図３を用いて、ミスト発生部１９の例を説明する。
図３はこの発明の実施の形態１における加湿空調システムのミスト発生部の縦断面図である。
【００３６】
図３の（Ａ）は、放電方式のミスト発生部１９を示す。図３の（Ａ）において、複数の接地電極２０と複数の高圧電極２１とは、第１送風体６の内部において空気が流れる方向と直交する方向に互い違いに並べられる。複数の接地電極２０と複数の高圧電極２１とは、第１送風体６の内部において空気が流れる方向と平行となるように配置される。高圧電源２２の接地の側は、複数の接地電極２０に接続される。高圧電源２２の高圧の側は、複数の高圧電極２１に接続される。
【００３７】
隣接した接地電極２０と高圧電極２１との間の空間は、放電空間を形成する。第１送風体６の内部の空気の大部分は、放電空間を円滑に通過する。この際、放電された電子は、当該空気に含まれた水の分子および塵埃の少なくとも一方の一部をイオン化する。水の分子は、イオン化された物質に引き寄せられることにより凝集する。その結果、ミストが発生する。
【００３８】
図３の（Ｂ）は、紫外線照射方式のミスト発生部１９を示す。図３の（Ｂ）において、紫外線光源２３は、第１送風体６の内部において空気が流れる方向と直交する方向における第１送風体６の内部の中央に設けられる。反射板２４の一方は、第１送付体の内部において空気が流れる方向と直交する方向における第１送風体６の内部の一側に設けられる。反射板２４の他方は、第１送風体６の内部において空気が流れる方向と直交する方向における第１送風体６の内部の他側に設けられる。
【００３９】
紫外線光源２３は、光を発する。当該光は、反射板２４で反射する。紫外線光源２３と反射板２４との間の空間は、紫外線照射空間を形成する。当該光の波長が当該空気に含まれた水の分子の仕事関数よりも高いエネルギに対応した波長の場合、水の分子は、紫外線照射空間において電子を放出する。当該水の分子は、イオン化する。当該光の波長が当該空気に含まれた塵埃の仕事関数よりも高いエネルギに対応した波長の場合、塵埃は、紫外線照射空間において電子を放出する。当該塵埃は、イオン化する。この際、水の分子は、放電方式のミスト発生部１９における現象と同様に、イオン化された物質に引き寄せられることにより凝集する。その結果、ミストが発生する。
【００４０】
なお、第１送風体６の内部において空気が流れる方向と直交する方向における第１送風体６の内部の一側に紫外線光源２３を設けてもよい。この際、第１送風体６の内部において空気が流れる方向と直交する方向における第１送風体６の内部の他側に反射板２６を設ければよい。この場合も、水の分子は、イオン化された物質に引き寄せられることにより凝集する。その結果、ミストが発生する。
【００４１】
図３の（Ｃ）は、超音波照射方式のミスト発生部１９を示す。図３の（Ｃ）において、超音波発生源２５は、第１送風体６の内部において空気が流れる方向と直交する方向における第１送風体６の内部の一側に設けられる。反射板２６は、第１送風体６の内部において空気が流れる方向と直交する方向における第１送風体６の内部の他側に設けられる。
【００４２】
超音波発生源２５は、超音波の波長に対応した周波数で振動する。その結果、超音波が発生する。当該超音波は、反射板２６で反射する。超音波発生源２５と反射板２６との間の空間は、超音波照射空間を形成する。超音波照射空間においては、空気の粗密が発生する。空気が密な部分において、水の分子の密度が相対的に高くなる。粉塵の濃度も相対的に高くなる。このため、空気が密な部分において、水は凝集しやすくなる。その結果、ミストが発生する。
【００４３】
図示しないが、空気を冷却することにより空気の温度を露点以下にするミスト発生部１９を用いて加湿された空気に含まれた水分からミストを発生させてもよい。また、複数のミスト発生部１９を用いてもよい。この際、異なる種類のミスト発生部１９を用いてもよい。これらの場合、必要な加湿量に合わせて、より適切なミストを発生させることができる。
【００４４】
なお、図示しない空調装置に併設された加湿装置においても、加湿された空気は、相対湿度が１００％となるような水分を含む。当該水分は、概ね水の分子である。当該水の分子は、拡散しやすい。このため、当該加湿装置に対してこれらのミスト発生部１９を適用してもよい。
【００４５】
以上で説明した実施の形態１によれば、第２送風体７は、ミスト発生装置１０が発生させたミストを含まないでミスト発生装置１０が発生させたミストよりも低温の空気をミスト発生装置１０が発生させたミストを含んだ空気よりも上方に送る。この際、ミスト発生装置１０が発生させたミストを含んだ空気の上昇は、より低温の空気に抑制される。このため、低い位置を局所的に加湿することができる。また、冬季において、区画領域１の上部における天井４、窓等、冷たい箇所における結露を抑制することができる。
【００４６】
また、加熱装置９は、ミスト発生装置１０に送られる空気を加熱する。このため、加湿された温かい空気を加湿対象空間に確実に送ることができる。
【００４７】
また、第１吹出口６ａは、加湿対象空間に設けられる。これに対し、第２吹出口７ａは、加湿対象空間よりも上方に設けられる。このため、低い位置をより確実に加湿することができる。
【００４８】
なお、ミストは、空気とともに搬送される途中で徐々に気化する。その結果、ミスト近傍の空気は、相対湿度が１００％になるまで加湿される。この際、ミストの径は小さくなる。このため、第１吹出口６ａから吹き出す空気の温度、第１吹出口６ａから吹き出す空気の速度、第１吹出口６ａから加湿対象空間までの距離、加湿対象空間の温度等に応じて、ミストの径を制御する装置を設けてもよい。この場合、加湿対象空間をより確実に加湿することができる。
【００４９】
実施の形態２．
図４はこの発明の実施の形態２における加湿空調システムが適用された区画領域の縦断面図である。なお、実施の形態１の部分と同一又は相当部分には同一符号が付される。当該部分の説明は省略される。
【００５０】
図４において、空調装置２７は、区画領域１の内部における天井４の近傍の壁３に設けられる。空調装置２７は、壁３に埋め込まれる場合もある。空調装置２７は、第１送風体６と第２送風体７と送風装置８と加熱装置９とミスト発生装置１０と温度測定装置１１と制御装置１２とを備える。
【００５１】
空調装置２７において、第１吹出口６ａは、より下方に向けて空気を吹き出す。第２吹出口７ａは、より上方に向けて空気を吹き出す。温度測定装置１１は、赤外線を検知することにより非接触で温度を測定する。例えば、温度測定装置１１は、床２、壁３、天井４、利用者等の温度を判別するアルゴリズムに対応したプログラムを記憶する。例えば、温度測定装置１１は、床２、壁３、天井４、利用者等の温度を判別する。
【００５２】
制御装置１２は、第１吹出口６ａから吹き出される温度と第２吹出口７ａから吹き出される温度とを判定する。制御装置１２は、第１吹出口６ａから吹き出される温度と第２吹出口７ａから吹き出される温度と温度測定装置１１により測定された温度とに基づいて加熱装置９とミスト発生装置１０と第１吹出口６ａの向きと第２吹出口７ａの向きと第１吹出口６ａから吹き出される空気の速度と第２吹出口７ａから吹き出される空気の速度とを制御する。その結果、加湿対象空間における空気の上昇が抑制される。
【００５３】
図４において、送風装置８は、加熱装置９に空気を送る。加熱装置９は、当該空気を加熱する。当該空気の一部は、第１送風体６に送られる。当該空気の一部は、第２送風体７に送られる。第１送風体６において、当該空気の一部の温度は、水の気化熱の分だけ下降する。このため、第１吹出口６ａから吹き出される空気の温度は、第２吹出口７ａから吹き出される空気の温度よりも低くなりやすい。
【００５４】
この際、制御装置１２は、加熱装置９における第１送風体６の側の発熱量をより多くする。その結果、第１吹出口６ａから吹き出される空気の温度は、第２吹出口７ａから吹き出される空気の温度よりも高くなる。
【００５５】
なお、制御装置１２の制御により、第１送風体６の側を流れる空気の量を第２送風体７の側を流れる空気の量よりも少なくしてもよい。例えば、制御装置１２の制御により、第１吹出口６ａの開口を狭くして通気抵抗を大きくしてもよい。この場合も、第１吹出口６ａから吹き出される空気の温度は、第２吹出口７ａから吹き出される空気の温度よりも高くなる。
【００５６】
以上で説明した実施の形態２によれば、第１吹出口６ａは、加湿対象空間に向けて空気を吹き出す。これに対し、第２吹出口７ａは、加湿対象空間よりも上方に向けて空気を吹き出す。このため、第１吹出口６ａと第２吹出口７ａとが加湿対象空間よりも上方に設けられている場合でも、低い位置を局所的に加湿することができる。
【００５７】
実施の形態３．
図５はこの発明の実施の形態３における加湿空調システムが適用された区画領域の縦断面図である。なお、実施の形態２の部分と同一又は相当部分には同一符号が付される。当該部分の説明は省略される。
【００５８】
図５において、加湿加熱装置２８は、区画領域１の内部における壁３近傍の床２に設けられる。加湿加熱装置２８は、第１送風体６と第２送風体７と送風装置８と加熱装置９とミスト発生装置１０と温度測定装置１１とを備える。
【００５９】
図５において、第２送風体７は、２系統に分割される。第２吹出口７ａの一方は、第２送風体７の系統の一方の上部に設けられる。第２吹出口７ａの他方は、第２送風体７の系統の他方の上部に設けられる。
【００６０】
送風装置８は、床２の近傍の空気を吸い込む。第２送風体７の系統の一方は、送風装置８から送られた空気をそのまま送る。第２吹出口７ａの一方は、第２送風体７の系統の一方から送られた空気を吹き出す。第２送風体７の系統の他方は、送風装置８から送られた空気を加熱装置９に送る。第２吹出口７ａの他方は、加熱装置９に加熱された空気を吹き出す。
【００６１】
制御装置１２は、第２吹出口７ａの双方の開閉を制御することにより第２吹出口７ａの双方から流れる空気の量と空気の流れの向きとを制御する。
【００６２】
以上で説明した実施の形態３によれば、第２吹出口７ａの一方は、加熱装置９に加熱されていない空気を吹き出す。第２吹出口７ａの他方は、加熱装置９に加熱された空気を吹き出す。このため、加湿対象空間の上方に送る空気の温度の制御をより精度よく行うことができる。
【００６３】
なお、暖かい空気は、天井４へ向かって移動する。これに対し、冷たい空気は、床２に向かって移動する。このため、実施の形態２においては、送風装置８は、床２の近傍におけるより低温の空気を吸い込む。その結果、より低温の空気が天井４の近傍へ送られる。この場合、天井４の近傍から床２に向かった空気の流れが形成される。このため、加湿された暖かい空気が上昇することをより確実に抑制できる。
【００６４】
実施の形態４．
図６はこの発明の実施の形態４における加湿空調システムが適用された区画領域の縦断面図である。なお、実施の形態１の部分と同一又は相当部分には同一符号が付される。当該部分の説明は省略される。
【００６５】
図６において、第１送風体６は、壁３の近傍において天井４を貫通する。第２送風体７は、第１送風体６よりも壁３から離れた位置において天井４を貫通する。加熱装置９の一方は、第２送風体７と送風装置８との間においてダクト５の途中に設けられる。加熱装置９の他方は、第１送風体６の途中においてミスト発生装置１０よりも上流の側に設けられる。
【００６６】
送風装置８は、ダクト５の内部に向けて空気を送る。当該空気は、加熱装置９の一方を通過することにより加熱される。当該空気は、第１送風体６の内部と第２送風体７の内部とに分岐される。第１吹出口６ａは、加熱装置９の他方とミスト発生装置１０とを通過した空気を下方に向けて吹き出す。第２吹出口７ａは、加熱装置９の一方に加熱された空気を下方に向けて吹き出す。
【００６７】
制御装置１２は、第１吹出口６ａから吹き出される空気の速度が第２吹出口７ａから吹き出される空気の速度よりも高速となるように制御する。当該制御により、第１吹出口６ａから吹き出される空気は、第２吹出口７ａから吹き出される空気よりも下方に送られる。その結果、加湿された暖かい空気が加湿対象空間に到達する。
【００６８】
この際、制御装置１２は、第１吹出口６ａから加湿対象空間までの距離、加湿対象空間の空気の温度、第１吹出口６ａから吹き出される空気の温度等に基づいて第１吹出口６ａから吹き出される空気の速度を制御する。その結果、加湿対象空間において、ドラフト感のない空気の流れが発生する。このため、利用者の快適性が維持される。
【００６９】
以上で説明した実施の形態４によれば、第１吹出口６ａから吹き出される空気の速度は、第２吹出口７ａから吹き出される空気の速度よりも高速となる。このため、第１吹出口６ａと第２吹出口７ａとが極めて近い位置に設けられている場合でも、低い位置を局所的に加湿することができる。
【００７０】
この場合、第１吹出口６ａと第２吹出口７ａとが占める領域が小さくなるように外観を損なわずに設計することができる。例えば、第１吹出口６ａと第２吹出口７ａとが外見上１箇所に集まるように設計することができる。例えば、第１吹出口６ａと第２吹出口７ａとが同心円状に配置されるように設計することができる。
【００７１】
実施の形態５．
図７はこの発明の実施の形態５における加湿空調システムが適用された区画領域の縦断面図である。なお、実施の形態１の部分と同一又は相当部分には同一符号が付される。当該部分の説明は省略される。
【００７２】
図７において、ダクト５の一方は、壁３の外側に沿って配置される。ダクト５の他方は、天井４の上側に沿って配置される。第１送風体６は、ダクト５の一方の下部に形成される。第１吹出口６ａは、水平方向を向いて開口する。第２送風体７は、ダクト５の他方の一側に形成される。第２吹出口７ａは、下方を向いて開口する。
【００７３】
第１吸気体２９は、壁３の上部を貫通する。第１吸気体２９の吸気口は、区画領域１の上部に配置される。第１吸気体２９の吸気口は、水平方向を向いて開口する。第１吸気体２９の吹出口は、ダクト５の一方の上部に接続される。第２吸気体３０は、壁３の外側に設けられる。第２吸気体３０の吸気口は、壁３の外側に配置される。第２吸気体３０の排出口は、第１吸気体２９の途中に接続される。
【００７４】
送風装置８の一方は、第１吸気体２９の下流の側に設けられる。送風装置８の他方は、ダクト５の他方の上流の側に設けられる。加熱装置９の一方は、第１送風体６の途中に設けられる。加熱装置９の他方は、送風装置８の他方と第２送風体７との間においてダクト５の他方の途中に設けられる。
【００７５】
加湿装置３１は、第２吸気体３０の途中に配置される。加湿装置３１は、第２送風体７に設けられる場合もある。
【００７６】
例えば、第１吸気体２９は、区画領域１の上部における加湿された空気を吸い込む。例えば、加湿装置３１は、外部から吸い込んだ空気を加湿して第１吸気体２９に送る。第１吸気体２９は、区画領域１の上部における加湿された空気と加湿装置３１により加湿された空気とを混合する。第１吸気体２９は、当該空気をダクト５の一方に送る。加熱装置９は、当該空気を加熱する。ミスト発生装置１０は、当該空気に含まれた水分を凝集することによりミストを発生させる。
【００７７】
以上で説明した実施の形態５によれば、ミスト発生装置１０は、加湿対象空間の上方の空間に存在する空気と加湿装置３１により加湿された空気とが混合された空気に含まれた水分を凝集することによりミストを発生させる。このため、ダクト５等の配管設計の自由度を上げることができる。例えば、全館の大部分の空間において最低限の湿度を確保し得るように加湿装置３１を用いた空気を供給し、特定の部屋のみにおいてより高湿な空間を提供することができる。例えば、大空間を有する商業施設において、吹き抜け空間へ水分が拡散することを抑制できる。この際、ミストを発生させるための追加部分において水の配管等の工事が不要となる。このため、加湿空調システムの施工を容易に行うことができる。また、エネルギと水との無駄を抑制することができる。
【００７８】
なお、実施の形態１から実施の形態５の加湿空調システムにおいては、加湿対象空間の温度が低い場合に加湿された暖かい空気が供給されると、加湿された温かい空気は、周辺の空気と混合する。このため、加湿対象空間の温度の上昇は大きくない。これに対し、加湿対象空間の温度が既に高い場合に加湿された暖かい空気が供給されると、加湿対象空間の温度がさらに上昇する。このため、加湿対象空間の空気は、上方に拡散しやすくなる。この場合、制御装置１２により、第１吹出口６ａから吹き出される空気の温度をより低温に設定すればよい。この際、第１送風体６が送る空気の温度と第２送風体７が送る空気の温度との差が小さくなる。その結果、加湿対象空間の空気の上昇を抑制することができる。
【００７９】
また、実施の形態１から実施の形態４の加湿空調システムにおいては、１つの送風装置８が第１送風体６と第２送風体とに空気を送る。当該加湿空調システムにおいては、設定された暖房温度に到達すると、送風装置８が停止する。この場合、温度と湿度との双方を設定し、温度と湿度との双方の検知結果に基づいて加熱装置９とミスト発生装置１０とに対して独立したフィードバック制御を行うことが好ましい。この際、気温が設定温度に到達した際に湿度が設定湿度に到達していない場合は、加熱装置９を停止して送風装置８とミスト発生装置１０とを動作させることが好ましい。
【００８０】
また、実施の形態１から実施の形態５の加湿空調システムは、空間全体を加湿する場合よりも小さい加湿能力で利用者が存在する領域を加湿しつつ結露等の不具合を生じるリスクを小さくする。このため、温度測定装置１１により測定された温度が設定温度に到達しても、利用者が存在する時間帯であれば、ミスト発生装置１０の動作を継続させてもよい。また、人検知センサにより利用者が検知されていれば、ミスト発生装置１０の動作を継続させてもよい。その結果、加湿対象空間の状況に応じて温度と湿度とを適切に維持することができる。
【００８１】
例えば、一般住宅の全館空調システムにおいては、熱負荷に応じた設計がなされる。当該設計においては、加湿された空気を利用者が寝ている領域に到達させる気流は想定されていない。また、予め設定された湿度の空気を供給することも睡眠にとって良い湿度を供給するものではない。このため、実施の形態１から実施の形態５の加湿空調システムを全館空調システムの寝室等に組み込む場合は、湿度と温度と風速との組み合わせと騒音とが睡眠、睡眠中ののど、肌等に対して好ましい範囲での変化し得るように制御することが好ましい。例えば、ベッド、布団等の近傍において利用者が立って空気を吸う位置よりも低い位置までミストが到達するように制御することが好ましい。例えば、当該位置が濡れないように制御することが好ましい。例えば、睡眠を妨げるドラフト感がなくなるように制御することが好ましい。例えば、窓における結露が抑制されるように制御することが好ましい。その結果、睡眠により適した寝室を提供することができる。
【００８２】
夏季においては、送風とドライミストによる冷却とにより寝苦しさを抑制することが好ましい。例えば、眠りが浅い時間帯においては、ドラフト感と騒音とが小さくなるように制御することが好ましい。例えば、眠りの深さを検知するセンサにより眠りが浅いと判定された場合にドラフト感と騒音とが小さくなるように制御することが好ましい。その結果、睡眠により適した寝室を提供することができる。
【００８３】
また、実施の形態１から実施の形態５の加湿空調システムをＨＥＭＳ（ホームエネルギーマネージメントシステム）の外部の機器に接続してもよい。この場合、加湿空調システムは、ＨＥＭＳからの電力消費量を抑制する指令に基づいて各機器への電力を遮断すればよい。この際、各機器の制御に優先順位を設ければよい。通常、利用者は、低湿度よりも低温に耐えられない。このため、１段階目の電力制限としては、ミスト発生装置１０を停止することにより電力消費量を引き下げればよい。２段階目の電力制限としては、温度設定を下げることにより電力消費量を引き下げればよい。３段階目の電力制限としては、加熱装置９と送風装置８を停止することにより電力消費量を引き下げればよい。この場合、快適性の損失を抑制しつつ、電力消費量を抑制することができる。
【符号の説明】
【００８４】
１  区画領域、  ２  床、  ３  壁、  ４  天井、  ５  ダクト、  ６  第１送風体、  ６ａ  第１吹出口、  ７  第２送風体、  ７ａ  第２吹出口、  ８  送風装置、  ９  加熱装置、  １０  ミスト発生装置、  １１  温度測定装置、  １２  制御装置、  １３  水槽、  １４  ヒータ、  １５  超音波振動子、  １６  回転体、  １７  破砕捕集板、  １８  フィルタ、  １９  ミスト発生部、  ２０  接地電極、  ２１  高圧電極、  ２２  高圧電源、  ２３  紫外線光源、  ２４  反射板、  ２５  超音波発生源、  ２６  反射板、  ２７  空調装置、  ２８  加湿加熱装置、  ２９  第１吸気体、  ３０  第２吸気体、  ３１  加湿装置
【図１】
2016188723.tif 000003
【図２】
2016188723.tif 000004
【図３】
2016188723.tif 000005
【図４】
2016188723.tif 000006
【図５】
2016188723.tif 000007
【図６】
2016188723.tif 000008
【図７】
2016188723.tif 000009